(57)【要約】【課題】出力回復量の減少を小さくすることができるターボ冷凍機を用いた吸気冷却システムを提供する。【解決手段】ターボ冷凍機を用いた吸気冷却システムにおいて、低い設計圧力を有するターボ冷凍機の圧縮機が当該設計圧力以下となる最大の大気温度を最大温度ＴＡとし、高い設計圧力を有するターボ冷凍機の圧縮機が当該設計圧力以下となる最大の大気温度を最大温度ＴＢとするとき、大気温度が最大温度ＴＡ以下の場合は、ターボ冷凍機ブロックを全て運転すると共に、冷却コイルに供給する冷水を低い水温Ｔ０とし、大気温度が最大温度ＴＡを越え、且つ、最大温度ＴＢ以下の場合は、最も高い設計圧力を有するターボ冷凍機を有するターボ冷凍機ブロックのみを運転すると共に、冷却コイルに供給する冷水を水温Ｔ０より高い水温Ｔ１とする。【選択図】図２
2012193910.tif 000002
【特許請求の範囲】
【請求項１】
吸入する大気を冷却する冷却コイルと、
前記冷却コイルに冷水を供給する少なくとも１つのターボ冷凍機を各々有し、互いに並列に接続されたｎ（ｎは、２以上の整数）組のターボ冷凍機ブロックと、
前記ターボ冷凍機に冷却水を供給する空冷式の空冷熱交換器と、
前記ターボ冷凍機ブロックの運転を制御する制御装置とを備え、
前記ターボ冷凍機ブロック毎に、当該ターボ冷凍機ブロックの前記ターボ冷凍機の圧縮機を各々異なる設計圧力とすると共に、
前記制御装置は、
１番目に低い設計圧力を有する前記ターボ冷凍機の圧縮機が当該設計圧力以下となる最大の大気温度を１番目の最大温度とするとき、大気温度が１番目の最大温度以下の場合は、前記ターボ冷凍機ブロックを全て運転すると共に、前記冷却コイルに供給する冷水を１番目に低い水温とし、大気温度が１番目の最大温度を越え、且つ、２番目の最大温度以下の場合は、１番目に低い設計圧力より高い設計圧力を有する前記ターボ冷凍機を有する前記ターボ冷凍機ブロックを全て運転すると共に、前記冷却コイルに供給する冷水を前記１番目に低い水温より高くする工程と、
ｍ（ｍは、２以上、且つ、ｎ未満の整数）番目に低い設計圧力を有する前記ターボ冷凍機の圧縮機が当該設計圧力以下となる最大の大気温度をｍ番目の最大温度とするとき、大気温度が（ｍ−１）番目の最大温度を越え、且つ、ｍ番目の最大温度以下の場合は、（ｍ−１）番目に低い設計圧力より高い設計圧力を有する前記ターボ冷凍機を有する前記ターボ冷凍機ブロックを全て運転すると共に、前記冷却コイルに供給する冷水をｍ番目に低い水温とし、大気温度がｍ番目の最大温度を越え、且つ、（ｍ＋１）番目の最大温度以下の場合は、ｍ番目に低い設計圧力より高い設計圧力を有する前記ターボ冷凍機を有する前記ターボ冷凍機ブロックを全て運転すると共に、前記冷却コイルに供給する冷水を前記ｍ番目に低い水温より高くする工程と、
ｎ番目に低い、即ち、最も高い設計圧力を有する前記ターボ冷凍機の圧縮機が当該設計圧力以下となる最大の大気温度をｎ番目の最大温度とするとき、大気温度が（ｎ−１）番目の最大温度を越え、且つ、ｎ番目の最大温度以下の場合は、最も高い設計圧力を有する前記ターボ冷凍機を有する前記ターボ冷凍機ブロックのみを運転すると共に、前記冷却コイルに供給する冷水を（ｎ−１）番目に低い水温より高くする工程とを実施することを特徴とするターボ冷凍機を用いた吸気冷却システム。
【請求項２】
吸入する大気を冷却する冷却コイルと、
前記冷却コイルに冷水を供給する少なくとも１つのターボ冷凍機を各々有し、互いに並列に接続された２組のターボ冷凍機ブロックと、
前記ターボ冷凍機に冷却水を供給する空冷式の空冷熱交換器と、
前記ターボ冷凍機ブロックの運転を制御する制御装置とを備え、
前記ターボ冷凍機ブロック毎に、当該ターボ冷凍機ブロックの前記ターボ冷凍機の圧縮機を各々異なる設計圧力とすると共に、
前記制御装置は、
１番目に低い、即ち、低い方の設計圧力を有する前記ターボ冷凍機の圧縮機が当該設計圧力以下となる最大の大気温度を１番目の最大温度とし、２番目に低い、即ち、高い方の設計圧力を有する前記ターボ冷凍機の圧縮機が当該設計圧力以下となる最大の大気温度を２番目の最大温度とするとき、大気温度が１番目の最大温度以下の場合は、前記ターボ冷凍機ブロックを全て運転すると共に、前記冷却コイルに供給する冷水を１番目に低い水温とし、大気温度が１番目の最大温度を越え、且つ、２番目の最大温度以下の場合は、高い方の設計圧力を有する前記ターボ冷凍機を有する前記ターボ冷凍機ブロックのみを運転すると共に、前記冷却コイルに供給する冷水を前記１番目に低い水温より高くする工程を実施することを特徴とするターボ冷凍機を用いた吸気冷却システム。
【請求項３】
吸入する大気を冷却する冷却コイルと、
前記冷却コイルに冷水を供給する少なくとも１つのターボ冷凍機を各々有し、互いに並列に接続されたｎ（ｎは、２以上の整数）組のターボ冷凍機ブロックと、
前記ターボ冷凍機に冷却水を供給する空冷式の空冷熱交換器と、
前記ターボ冷凍機ブロックの運転を制御する制御装置とを備え、
前記ターボ冷凍機ブロック毎に、当該ターボ冷凍機ブロックの前記ターボ冷凍機の圧縮機を各々異なる設計圧力とすると共に、
前記制御装置は、
１番目に低い設計圧力を有する前記ターボ冷凍機の圧縮機が当該設計圧力以下となる最大の大気温度を１番目の最大温度とするとき、大気温度が１番目の最大温度以下の場合は、１番目に低い設計圧力を有する前記ターボ冷凍機を有する前記ターボ冷凍機ブロックのみを運転し、大気温度が１番目の最大温度を越え、且つ、２番目の最大温度以下の場合は、２番目に低い設計圧力を有する前記ターボ冷凍機を有する前記ターボ冷凍機ブロックのみ運転する工程と、
ｍ（ｍは、２以上、且つ、ｎ未満の整数）番目に低い設計圧力を有する前記ターボ冷凍機の圧縮機が当該設計圧力以下となる最大の大気温度をｍ番目の最大温度とするとき、大気温度が（ｍ−１）番目の最大温度を越え、且つ、ｍ番目の最大温度以下の場合は、ｍ番目に低い設計圧力を有する前記ターボ冷凍機を有する前記ターボ冷凍機ブロックのみを運転し、大気温度がｍ番目の最大温度を越え、且つ、（ｍ＋１）番目の最大温度以下の場合は、（ｍ＋１）番目に低い設計圧力を有する前記ターボ冷凍機を有する前記ターボ冷凍機ブロックのみを運転する工程と、
ｎ番目に低い、即ち、最も高い設計圧力を有する前記ターボ冷凍機の圧縮機が当該設計圧力以下となる最大の大気温度をｎ番目の最大温度とするとき、大気温度が（ｎ−１）番目の最大温度を越え、且つ、ｎ番目の最大温度以下の場合は、最も高い設計圧力を有する前記ターボ冷凍機を有する前記ターボ冷凍機ブロックのみを運転する工程とを実施することを特徴とするターボ冷凍機を用いた吸気冷却システム。
【請求項４】
吸入する大気を冷却する冷却コイルと、
前記冷却コイルに冷水を供給する少なくとも１つのターボ冷凍機を各々有し、互いに並列に接続された２組のターボ冷凍機ブロックと、
前記ターボ冷凍機に冷却水を供給する空冷式の空冷熱交換器と、
前記ターボ冷凍機ブロックの運転を制御する制御装置とを備え、
前記ターボ冷凍機ブロック毎に、当該ターボ冷凍機ブロックの前記ターボ冷凍機の圧縮機を各々異なる設計圧力とすると共に、
前記制御装置は、
１番目に低い、即ち、低い方の設計圧力を有する前記ターボ冷凍機の圧縮機が当該設計圧力以下となる最大の大気温度を１番目の最大温度とし、２番目に低い、即ち、高い方の設計圧力を有する前記ターボ冷凍機の圧縮機が当該設計圧力以下となる最大の大気温度を２番目の最大温度とするとき、大気温度が１番目の最大温度以下の場合は、低い方の設計圧力を有する前記ターボ冷凍機を有する前記ターボ冷凍機ブロックのみを運転し、大気温度が１番目の最大温度を越え、且つ、２番目の最大温度以下の場合は、高い方の設計圧力を有する前記ターボ冷凍機を有する前記ターボ冷凍機ブロックのみを運転する工程を実施することを特徴とするターボ冷凍機を用いた吸気冷却システム。
【発明の詳細な説明】
【技術分野】
【０００１】
本発明は、ターボ冷凍機を用いた吸気冷却システムに関する。
【背景技術】
【０００２】
図１０（ａ）にガスタービンを例示し、ガスタービンにおける従来の吸気冷却システムを説明する。ガスタービン５０は、圧縮した燃焼用空気を供給する圧縮機５１と、圧縮機５１から送られた燃焼用空気に燃料を噴射して燃焼させて、高温の燃焼ガスを発生させる燃焼器５２と、燃焼器５２から供給された高温の燃焼ガスにより駆動されるタービン５３とを有する。このタービン５３に発電機５４が接続されて、発電を行うことになる。
【０００３】
夏場など大気ＮＡの温度が上昇した場合、空気密度が減少するので、ガスタービン５０の吸気流量（空気の質量流量）が減少し、その結果、発電機５４の出力が低下する。そのため、吸気冷却システム６０として、吸気ダクト（図示省略）に冷却コイル６１を設置しており、吸入する大気ＮＡを冷却コイル６１で冷却し、温度を低下させた冷却空気ＣＡを吸入することで、吸気流量を回復させて、発電機５４の出力を回復させている。例えば、３５℃の空気を１５℃まで冷却すると、空気密度が約１０％増え、その結果、発電出力も約１０％回復する。この冷却コイル６１への冷水ＣＢは、ターボ冷凍機６２を用いて供給しており、このターボ冷凍機６２への冷却水ＣＷは、熱交換器６３を用いて供給している。
【０００４】
ターボ冷凍機６２は、図１０（ｂ）に示すように、冷媒を圧縮する圧縮機６２ａと、圧縮した冷媒を凝縮し、冷却水ＣＷとの熱交換を行う凝縮器６２ｂと、凝縮した冷媒を用いて冷水ＣＢを冷却する蒸発器６２ｃとを有するものである。又、熱交換器６３としては、冷却水ＣＷを上方から散水し、空気と接触させて熱交換を行う冷却塔が主に使用されている。
【先行技術文献】
【特許文献】
【０００５】
【特許文献１】特開平９−０３３１３１号公報
【発明の概要】
【発明が解決しようとする課題】
【０００６】
上述した冷却塔を用いた熱交換器６３では、熱交換時に冷却水ＣＷが蒸発し、冷却水ＣＷが減少してしまうため、冷却水ＣＷとなる水を補給する必要がある。ところが、中東などの砂漠が多い乾燥地域では、水が高価なため、水を補給する必要がある冷却塔を使わず、大気との熱交換で冷却水ＣＷを冷却する空気熱交換器を、熱交換器６３として使用している。このため、ターボ冷凍機６２への冷却水ＣＷの温度が大気ＮＡの温度より高くなる。例えば、大気ＮＡの温度が４０℃である場合、冷却水ＣＷの温度は４５℃となってしまう。
【０００７】
大気ＮＡの温度が４０℃以上のような高温の場合、通常の吸気冷却システムに使っている標準ターボ冷凍機では、圧縮機出口と凝縮器内の冷媒の圧力が、設計圧力より高くなるため使えない。このために、高圧力比で設計した高圧圧縮機を使ったターボ冷凍機を使用している。この高圧圧縮機と標準ターボ冷凍機に使用している圧縮機とを比較すると、設計圧力が高いため、設計点でも圧縮機の効率が低く、使用される運転範囲全域で圧縮機の効率が低い。このため、消費動力が標準ターボ冷凍機より大きくなり、売電に回せる出力回復量が減ってしまうという問題があった。
【０００８】
本発明は上記課題に鑑みなされたもので、出力回復量の減少を小さくすることができるターボ冷凍機を用いた吸気冷却システムを提供することを目的とする。
【課題を解決するための手段】
【０００９】
上記課題を解決する第１の発明に係るターボ冷凍機を用いた吸気冷却システムは、
吸入する大気を冷却する冷却コイルと、
前記冷却コイルに冷水を供給する少なくとも１つのターボ冷凍機を各々有し、互いに並列に接続されたｎ（ｎは、２以上の整数）組のターボ冷凍機ブロックと、
前記ターボ冷凍機に冷却水を供給する空冷式の空冷熱交換器と、
前記ターボ冷凍機ブロックの運転を制御する制御装置とを備え、
前記ターボ冷凍機ブロック毎に、当該ターボ冷凍機ブロックの前記ターボ冷凍機の圧縮機を各々異なる設計圧力とすると共に、
前記制御装置は、
１番目に低い設計圧力を有する前記ターボ冷凍機の圧縮機が当該設計圧力以下となる最大の大気温度を１番目の最大温度とするとき、大気温度が１番目の最大温度以下の場合は、前記ターボ冷凍機ブロックを全て運転すると共に、前記冷却コイルに供給する冷水を１番目に低い水温とし、大気温度が１番目の最大温度を越え、且つ、２番目の最大温度以下の場合は、１番目に低い設計圧力より高い設計圧力を有する前記ターボ冷凍機を有する前記ターボ冷凍機ブロックを全て運転すると共に、前記冷却コイルに供給する冷水を前記１番目に低い水温より高くする工程と、
ｍ（ｍは、２以上、且つ、ｎ未満の整数）番目に低い設計圧力を有する前記ターボ冷凍機の圧縮機が当該設計圧力以下となる最大の大気温度をｍ番目の最大温度とするとき、大気温度が（ｍ−１）番目の最大温度を越え、且つ、ｍ番目の最大温度以下の場合は、（ｍ−１）番目に低い設計圧力より高い設計圧力を有する前記ターボ冷凍機を有する前記ターボ冷凍機ブロックを全て運転すると共に、前記冷却コイルに供給する冷水をｍ番目に低い水温とし、大気温度がｍ番目の最大温度を越え、且つ、（ｍ＋１）番目の最大温度以下の場合は、ｍ番目に低い設計圧力より高い設計圧力を有する前記ターボ冷凍機を有する前記ターボ冷凍機ブロックを全て運転すると共に、前記冷却コイルに供給する冷水を前記ｍ番目に低い水温より高くする工程と、
ｎ番目に低い、即ち、最も高い設計圧力を有する前記ターボ冷凍機の圧縮機が当該設計圧力以下となる最大の大気温度をｎ番目の最大温度とするとき、大気温度が（ｎ−１）番目の最大温度を越え、且つ、ｎ番目の最大温度以下の場合は、最も高い設計圧力を有する前記ターボ冷凍機を有する前記ターボ冷凍機ブロックのみを運転すると共に、前記冷却コイルに供給する冷水を（ｎ−１）番目に低い水温より高くする工程とを実施することを特徴とする。
【００１０】
上記課題を解決する第２の発明に係るターボ冷凍機を用いた吸気冷却システムは、
吸入する大気を冷却する冷却コイルと、
前記冷却コイルに冷水を供給する少なくとも１つのターボ冷凍機を各々有し、互いに並列に接続された２組のターボ冷凍機ブロックと、
前記ターボ冷凍機に冷却水を供給する空冷式の空冷熱交換器と、
前記ターボ冷凍機ブロックの運転を制御する制御装置とを備え、
前記ターボ冷凍機ブロック毎に、当該ターボ冷凍機ブロックの前記ターボ冷凍機の圧縮機を各々異なる設計圧力とすると共に、
前記制御装置は、
１番目に低い、即ち、低い方の設計圧力を有する前記ターボ冷凍機の圧縮機が当該設計圧力以下となる最大の大気温度を１番目の最大温度とし、２番目に低い、即ち、高い方の設計圧力を有する前記ターボ冷凍機の圧縮機が当該設計圧力以下となる最大の大気温度を２番目の最大温度とするとき、大気温度が１番目の最大温度以下の場合は、前記ターボ冷凍機ブロックを全て運転すると共に、前記冷却コイルに供給する冷水を１番目に低い水温とし、大気温度が１番目の最大温度を越え、且つ、２番目の最大温度以下の場合は、高い方の設計圧力を有する前記ターボ冷凍機を有する前記ターボ冷凍機ブロックのみを運転すると共に、前記冷却コイルに供給する冷水を前記１番目に低い水温より高くする工程を実施することを特徴とする。
【００１１】
上記課題を解決する第３の発明に係るターボ冷凍機を用いた吸気冷却システムは、
吸入する大気を冷却する冷却コイルと、
前記冷却コイルに冷水を供給する少なくとも１つのターボ冷凍機を各々有し、互いに並列に接続されたｎ（ｎは、２以上の整数）組のターボ冷凍機ブロックと、
前記ターボ冷凍機に冷却水を供給する空冷式の空冷熱交換器と、
前記ターボ冷凍機ブロックの運転を制御する制御装置とを備え、
前記ターボ冷凍機ブロック毎に、当該ターボ冷凍機ブロックの前記ターボ冷凍機の圧縮機を各々異なる設計圧力とすると共に、
前記制御装置は、
１番目に低い設計圧力を有する前記ターボ冷凍機の圧縮機が当該設計圧力以下となる最大の大気温度を１番目の最大温度とするとき、大気温度が１番目の最大温度以下の場合は、１番目に低い設計圧力を有する前記ターボ冷凍機を有する前記ターボ冷凍機ブロックのみを運転し、大気温度が１番目の最大温度を越え、且つ、２番目の最大温度以下の場合は、２番目に低い設計圧力を有する前記ターボ冷凍機を有する前記ターボ冷凍機ブロックのみ運転する工程と、
ｍ（ｍは、２以上、且つ、ｎ未満の整数）番目に低い設計圧力を有する前記ターボ冷凍機の圧縮機が当該設計圧力以下となる最大の大気温度をｍ番目の最大温度とするとき、大気温度が（ｍ−１）番目の最大温度を越え、且つ、ｍ番目の最大温度以下の場合は、ｍ番目に低い設計圧力を有する前記ターボ冷凍機を有する前記ターボ冷凍機ブロックのみを運転し、大気温度がｍ番目の最大温度を越え、且つ、（ｍ＋１）番目の最大温度以下の場合は、（ｍ＋１）番目に低い設計圧力を有する前記ターボ冷凍機を有する前記ターボ冷凍機ブロックのみを運転する工程と、
ｎ番目に低い、即ち、最も高い設計圧力を有する前記ターボ冷凍機の圧縮機が当該設計圧力以下となる最大の大気温度をｎ番目の最大温度とするとき、大気温度が（ｎ−１）番目の最大温度を越え、且つ、ｎ番目の最大温度以下の場合は、最も高い設計圧力を有する前記ターボ冷凍機を有する前記ターボ冷凍機ブロックのみを運転する工程とを実施することを特徴とする。
【００１２】
上記課題を解決する第４の発明に係るターボ冷凍機を用いた吸気冷却システムは、
吸入する大気を冷却する冷却コイルと、
前記冷却コイルに冷水を供給する少なくとも１つのターボ冷凍機を各々有し、互いに並列に接続された２組のターボ冷凍機ブロックと、
前記ターボ冷凍機に冷却水を供給する空冷式の空冷熱交換器と、
前記ターボ冷凍機ブロックの運転を制御する制御装置とを備え、
前記ターボ冷凍機ブロック毎に、当該ターボ冷凍機ブロックの前記ターボ冷凍機の圧縮機を各々異なる設計圧力とすると共に、
前記制御装置は、
１番目に低い、即ち、低い方の設計圧力を有する前記ターボ冷凍機の圧縮機が当該設計圧力以下となる最大の大気温度を１番目の最大温度とし、２番目に低い、即ち、高い方の設計圧力を有する前記ターボ冷凍機の圧縮機が当該設計圧力以下となる最大の大気温度を２番目の最大温度とするとき、大気温度が１番目の最大温度以下の場合は、低い方の設計圧力を有する前記ターボ冷凍機を有する前記ターボ冷凍機ブロックのみを運転し、大気温度が１番目の最大温度を越え、且つ、２番目の最大温度以下の場合は、高い方の設計圧力を有する前記ターボ冷凍機を有する前記ターボ冷凍機ブロックのみを運転する工程を実施することを特徴とする。
【発明の効果】
【００１３】
本発明によれば、冷却塔が使えない地域で使用する吸気冷却システムにおいて、使用するターボ冷凍機の消費動力の増加量を可能な限り小さくして、売電に回す出力回復量の減少を小さくすることができる。
【図面の簡単な説明】
【００１４】
【図１】ガスタービン及び本発明に係る吸気冷却システムの実施形態の一例（実施例１）を説明する概略構成図である。
【図２】実施例１の吸気冷却システム（２台並列）における大気温度と冷水温度の関係を説明する図である。
【図３】実施例１の吸気冷却システム（２台並列）における大気温度及び湿度と冷却能力の関係を説明する図である。
【図４】実施例１の吸気冷却システム（３台並列）における大気温度と冷水温度の関係を説明する図である。
【図５】実施例１の吸気冷却システム（３台並列）における大気温度及び湿度と冷却能力の関係を説明する図である。
【図６】実施例２の吸気冷却システム（２台並列）における大気温度と冷水温度の関係を説明する図である。
【図７】実施例２の吸気冷却システム（２台並列）における大気温度及び湿度と冷却能力の関係を説明する図である。
【図８】実施例２の吸気冷却システム（３台並列）における大気温度と冷水温度の関係を説明する図である。
【図９】実施例２の吸気冷却システム（３台並列）における大気温度及び湿度と冷却能力の関係を説明する図である。
【図１０】（ａ）は、ガスタービン及び従来の吸気冷却システムを説明する概略構成図であり、（ｂ）は、その吸気冷却システムのターボ冷凍機を説明する概略構成図である。
【発明を実施するための形態】
【００１５】
以下、本発明に係るターボ冷凍機を用いた吸気冷却システムの実施形態について、図１〜図９を参照して説明する。なお、ここでは、ガスタービンを例示して説明を行っているが、吸気冷却が必要なプラント等であれば、他のものにも適用可能である。
【実施例１】
【００１６】
図１は、ガスタービン及び当該ガスタービンにおける本実施例のターボ冷凍機を用いた吸気冷却システムを説明する概略構成図である。なお、図１中の「Ｐ」はポンプを示し、「Ｔ」は温度センサを示している。
【００１７】
本実施例において、ガスタービン１０は、冷却空気ＣＡを吸入して圧縮した燃焼用空気を供給する圧縮機１１と、圧縮機１１から送られた燃焼用空気に燃料を噴射して燃焼させて、高温の燃焼ガスを発生させる燃焼器１２と、燃焼器１２から供給された高温の燃焼ガスにより駆動されるタービン１３とを有する。このタービン１３に発電機１４が接続されて、発電を行うことになる。
【００１８】
そして、本実施例の吸気冷却システム２０として、吸気ダクト（図示省略）に冷却コイル２１を設置しており、吸入する大気ＮＡを冷却コイル２１で冷却し、温度を低下させた冷却空気ＣＡを、ガスタービン１０へ供給している。これにより、大気ＮＡの温度が高温の場合でも、ガスタービン１０が吸入する吸気流量の減少を抑制し、発電機１４の出力の減少を抑制している。
【００１９】
冷却コイル２１への冷水ＣＢは、ターボ冷凍機ブロックＡ、Ｂを用いて供給しており、このターボ冷凍機ブロックＡ、Ｂへの冷却水ＣＷは、大気との熱交換で冷却水ＣＷを冷却する空冷式の空冷熱交換器２２を用いて供給している。
【００２０】
ターボ冷凍機ブロックＡとターボ冷凍機ブロックＢとは、互いに並列に接続された配置である。ターボ冷凍機ブロックＡは、少なくとも１台のターボ冷凍機ａで構成するが、複数台で構成する場合、同じ仕様のターボ冷凍機ａを使用する。その場合、ターボ冷凍機ブロックＡ内でのターボ冷凍機ａ同士の接続は、並列接続でも直列接続でも構わない。
【００２１】
同様に、ターボ冷凍機ブロックＢも、少なくとも１台のターボ冷凍機ｂで構成するが、複数台で構成する場合、同じ仕様のターボ冷凍機ｂを使用する。その場合も、ターボ冷凍機ブロックＢ内でのターボ冷凍機ｂ同士の接続は、並列接続でも直列接続でも構わない。そして、ターボ冷凍機ブロックＡ内の全てのターボ冷凍機ａの圧縮機の設計圧力をＰＡとし、ターボ冷凍機ブロックＢ内の全てのターボ冷凍機ｂの圧縮機の設計圧力をＰＢとすると、設計圧力ＰＡより設計圧力ＰＢを高くする。つまり、ＰＡ＜ＰＢである。
【００２２】
なお、ここでは図示は省略しているが、個々のターボ冷凍機の構成は、前述の図１０（ｂ）に示したように、冷媒を圧縮する圧縮機と、圧縮した冷媒を凝縮し、冷却水ＣＷとの熱交換を行う凝縮器と、凝縮した冷媒を用いて冷水ＣＢを冷却する蒸発器とを有する構成である。
【００２３】
又、図１では、２つのターボ冷凍機ブロックＡ、Ｂを並列接続した構成を例示しているが、３つ以上のターボ冷凍機ブロックを用いる場合、例えば、３つのターボ冷凍機ブロックＡ、Ｂ、Ｃを用いる場合には、３つのターボ冷凍機ブロックＡ、Ｂ、Ｃを並列接続すると共に、ターボ冷凍機ブロックＣ内のターボ冷凍機ｃの圧縮機の設計圧力ＰＣを、ＰＡ＜ＰＢ＜ＰＣとすることになる。
【００２４】
＜２台並列の場合＞
ここでは、ターボ冷凍機ブロックＡを、設計圧力ＰＡの圧縮機を用いた１台のターボ冷凍機ａから構成し、ターボ冷凍機ブロックＢを、設計圧力ＰＢ（＞ＰＡ）の圧縮機を用いた１台のターボ冷凍機ｂから構成し、１台のターボ冷凍機ａと１台のターボ冷凍機ｂを並列に接続した構成としている。この構成での制御について、図２〜図３を参照して、説明を行う。
【００２５】
ここでは、上述したように、異なる設計圧力（ＰＡ、ＰＢ）の圧縮機を用いたターボ冷凍機ａとターボ冷凍機ｂを並列に接続しているが、後述するように、使用するターボ冷凍機ａ、ｂの冷却能力及びその制御方法を工夫することにより、ターボ冷凍機ａ、ｂの消費動力の増加量を可能な限り小さくして、売電に回す出力回復量の減少を小さくしている。
【００２６】
通常、使用するターボ冷凍機ａ、ターボ冷凍機ｂの冷却能力は、主に、使用環境の気象条件、負荷側の条件に基づいて決定する。具体的には、使用環境の気象条件としては、使用環境における年間の大気温度と湿度の気象データを用い、負荷側の条件としては、ガスタービン１０の場合、その冷却空気ＣＡの温度（＝冷水ＣＢの温度）と吸気流量（質量流量）を用いる。
【００２７】
そして、まず、ターボ冷凍機ａとターボ冷凍機ｂとを合わせた冷却能力を、年間の大気温度及び湿度と、ターボ冷凍機ａの設計圧力ＰＡ以下となる大気温度から冷却する冷却空気ＣＡの温度と、ガスタービン１０の吸気流量とから決定する。更に、ターボ冷凍機ｂの冷却能力を、ターボ冷凍機ａの設計圧力ＰＡとなる大気温度より大きい大気温度から決定する。具体的には、ターボ冷凍機ａの設計圧力ＰＡ以下となる最大の大気温度を最大温度ＴＡとし、ターボ冷凍機ｂの設計圧力ＰＢ以下となる最大の大気温度を最大温度ＴＢとすると、ＴＡ＜ＴＢとなる冷却能力である。
【００２８】
冷却する冷却空気ＣＡの温度（＝冷水ＣＢの温度）を水温Ｔ０とし、水温Ｔ０に冷却するときのターボ冷凍機ａの冷却能力を冷却能力ＲＡ（Ｔ０）とし、水温Ｔ０に冷却するときのターボ冷凍機ｂの冷却能力を冷却能力ＲＢ（Ｔ０）とすると、冷却可能な大気温度及び湿度と冷却能力との関係は、図３のグラフで表すことができる。
【００２９】
具体的には、大気温度（最大温度ＴＡ以下の範囲）と湿度が、「ＲＡ（Ｔ０）＋ＲＢ（Ｔ０）」が示す冷却能力線の範囲に入るように、ターボ冷凍機ａとターボ冷凍機ｂとを合わせた冷却能力を決定する。つまり、大気温度が最大温度ＴＡ以下のときは、ターボ冷凍機ａとターボ冷凍機ｂを共に使用して、大気温度を水温Ｔ０まで冷却して、冷却空気ＣＡとしている。このとき、ターボ冷凍機ａを優先的に使用し、ターボ冷凍機ｂの冷却能力が不要な負荷の場合は、ターボ冷凍機ａのみを使用してもよい。
【００３０】
又、２つのターボ冷凍機ａ、ｂに流す冷水ＣＢの流量は、ターボ冷凍機ａ、ｂの入口／出口の冷水ＣＢの温度を各々温度センサＴで監視して、各々のバルブ２３〜２６で流量を制御する。ここで、運転、制御は、制御装置（図示省略）を用いて実施する。
【００３１】
一方、大気温度が最大温度ＴＡを越えるときは、ターボ冷凍機ｂのみを使用する。この場合、図３の点線に示すように、ターボ冷凍機ｂのみの冷却能力線「ＲＢ（Ｔ０）」では冷却能力が小さい。そこで、ここでは、冷却する冷却空気ＣＡの温度（＝冷水ＣＢの温度）を水温Ｔ１（＞Ｔ０）とし、冷凍能力を増やして運転する。水温Ｔ１に冷却するときのターボ冷凍機ｂの冷却能力を冷却能力ＲＢ（Ｔ１）とすると、ＲＢ（Ｔ１）＞ＲＢ（Ｔ０）となり、冷却可能な大気温度及び湿度と冷却能力との関係は、図３のグラフで表すことができる。
【００３２】
具体的には、大気温度（最大温度ＴＡを越え、且つ、最大温度ＴＢ以下の範囲）と湿度が、「ＲＢ（Ｔ１）」が示す冷却能力線の範囲に入るように、ターボ冷凍機ｂの冷却能力を決定する。従って、大気温度が最大温度ＴＡを越えたときは、ターボ冷凍機ｂのみを使用して、大気温度を水温Ｔ１まで冷却して、冷却空気ＣＡとしている。又、大気温度が最大温度ＴＡのときの「ＲＢ（Ｔ１）」が、大気温度が最大温度ＴＡのときの「ＲＡ（Ｔ０）＋ＲＢ（Ｔ０）」にできるだけ近いと、冷却能力線「ＲＢ（Ｔ１）」の範囲に入る大気温度と湿度の条件が広くなる。
【００３３】
以上を整理すると、図２に示すように、大気温度が最大温度ＴＡ以下の場合には、使用できるターボ冷凍機を全て運転して、つまり、ターボ冷凍機ａ、ｂを共に運転し、大気温度を水温Ｔ０まで冷却して、冷却空気ＣＡとしている。一方、大気温度が最大温度ＴＡを越えた場合には、使用できるターボ冷凍機を全て運転して、つまり、ターボ冷凍機ｂのみを運転し、大気温度を水温Ｔ１（＞Ｔ０）まで冷却して、冷却空気ＣＡとしている。
【００３４】
このような制御により、大気温度が最大温度ＴＡ以下の場合、ターボ冷凍機ａ、ｂの消費動力が、ターボ冷凍機ｂのみを使ったときより小さくなり、売電に回せる出力回復量の減少を小さくできる。
【００３５】
＜３台並列の場合＞
ここでは、ターボ冷凍機ブロックＡを、設計圧力ＰＡの圧縮機を用いた１台のターボ冷凍機ａから構成し、ターボ冷凍機ブロックＢを、設計圧力ＰＢ（＞ＰＡ）の圧縮機を用いた１台のターボ冷凍機ｂから構成し、ターボ冷凍機ブロックＣを、設計圧力ＰＣ（＞ＰＢ＞ＰＡ）の圧縮機を用いた１台のターボ冷凍機ｃから構成し、１台のターボ冷凍機ａと１台のターボ冷凍機ｂと１台のターボ冷凍機ｃを並列に接続した構成としている。この構成での制御について、図４〜図５を参照して、説明を行う。
【００３６】
ここでも、異なる設計圧力（ＰＡ、ＰＢ、ＰＣ）の圧縮機を用いたターボ冷凍機ａとターボ冷凍機ｂとターボ冷凍機ｃを並列に接続しており、後述するように、使用するターボ冷凍機ａ、ｂ、ｃの冷却能力及びその制御方法を工夫することにより、ターボ冷凍機ａ、ｂ、ｃの消費動力の増加量を可能な限り小さくして、売電に回す出力回復量の減少を小さくしている。
【００３７】
まず、ターボ冷凍機ａとターボ冷凍機ｂとターボ冷凍機ｃとを合わせた冷却能力を、年間の大気温度及び湿度と、ターボ冷凍機ａの設計圧力ＰＡ以下となる大気温度から冷却する冷却空気ＣＡの温度と、ガスタービン１０の吸気流量とから決定する。更に、ターボ冷凍機ｂの冷却能力を、ターボ冷凍機ａの設計圧力ＰＡとなる最大温度ＴＡより大きい大気温度から決定する。加えて、ターボ冷凍機ｃの冷却能力を、ターボ冷凍機ｂの設計圧力ＰＢとなる最大温度ＴＢより大きい大気温度から決定する。具体的には、ターボ冷凍機ｃの設計圧力ＰＣとなる大気温度を温度ＴＣとすると、ＴＡ＜ＴＢ＜ＴＣとなる冷却能力である。
【００３８】
冷却する冷却空気ＣＡの温度（＝冷水ＣＢの温度）を、水温Ｔ０に冷却するときのターボ冷凍機ａの冷却能力を冷却能力ＲＡ（Ｔ０）とし、水温Ｔ０に冷却するときのターボ冷凍機ｂの冷却能力を冷却能力ＲＢ（Ｔ０）とし、水温Ｔ０に冷却するときのターボ冷凍機ｃの冷却能力を冷却能力ＲＣ（Ｔ０）とすると、冷却可能な大気温度及び湿度と冷却能力との関係は、図５のグラフで表すことができる。
【００３９】
具体的には、大気温度（最大温度ＴＡ以下の範囲）と湿度が、「ＲＡ（Ｔ０）＋ＲＢ（Ｔ０）＋ＲＣ（Ｔ０）」が示す冷却能力線の範囲に入るように、ターボ冷凍機ａとターボ冷凍機ｂとターボ冷凍機ｃを合わせた冷却能力を決定する。つまり、大気温度が最大温度ＴＡ以下のときは、ターボ冷凍機ａとターボ冷凍機ｂとターボ冷凍機ｃを共に使用して、大気温度を水温Ｔ０まで冷却して、冷却空気ＣＡとしている。このとき、ターボ冷凍機ａを優先的に使用し、ターボ冷凍機ｂ、ｃの冷却能力が不要な負荷の場合は、ターボ冷凍機ａのみを使用してもよい。
【００４０】
又、３つのターボ冷凍機ａ、ｂ、ｃに流す冷水ＣＢの流量は、ターボ冷凍機ａ、ｂ、ｃの入口／出口の冷水ＣＢの温度を各々温度センサＴで監視し、制御装置を用いて、各々のバルブで流量を制御する。
【００４１】
一方、大気温度が最大温度ＴＡを越え、且つ、最大温度ＴＢ以下のときは、ターボ冷凍機ｂ、ｃを使用する。この場合、図５の点線に示すように、ターボ冷凍機ｂのみの冷却能力線「ＲＢ（Ｔ０）」では冷却能力が小さく、又、ターボ冷凍機ｃのみの冷却能力線「ＲＣ（Ｔ０）」でも冷却能力が小さい。そこで、ここでは、冷却する冷却空気ＣＡの温度（＝冷水ＣＢの温度）を水温Ｔ１（＞Ｔ０）とし、冷凍能力を増やして運転する。水温Ｔ１に冷却するときのターボ冷凍機ｂの冷却能力を冷却能力ＲＢ（Ｔ１）とし、水温Ｔ１に冷却するときのターボ冷凍機ｃの冷却能力を冷却能力ＲＣ（Ｔ１）すると、ＲＢ（Ｔ１）＞ＲＢ（Ｔ０）、ＲＣ（Ｔ１）＞ＲＣ（Ｔ０）となり、冷却可能な大気温度及び湿度と冷却能力との関係は、図５のグラフで表すことができる。
【００４２】
具体的には、大気温度（最大温度ＴＡを越え、且つ、最大温度ＴＢ以下の範囲）と湿度が、「ＲＢ（Ｔ１）＋ＲＣ（Ｔ１）」が示す冷却能力線の範囲に入るように、ターボ冷凍機ｂ、ｃの冷却能力を決定する。従って、大気温度が最大温度ＴＡを越え、且つ、最大温度ＴＢ以下のときは、ターボ冷凍機ｂ、ｃを使用して、大気温度を水温Ｔ１まで冷却して、冷却空気ＣＡとしている。又、大気温度が最大温度ＴＡのときの「ＲＢ（Ｔ１）＋ＲＣ（Ｔ１）」が、大気温度が最大温度ＴＡのときの「ＲＡ（Ｔ０）＋ＲＢ（Ｔ０）＋ＲＣ（Ｔ０）」にできるだけ近いと、冷却能力線「ＲＢ（Ｔ１）＋ＲＣ（Ｔ１）」の範囲に入る大気温度と湿度の条件が広くなる。
【００４３】
又、２つのターボ冷凍機ｂ、ｃに流す冷水ＣＢの流量は、ターボ冷凍機ｂ、ｃの入口／出口の冷水ＣＢの温度を各々温度センサＴで監視し、制御装置を用いて、各々のバルブで流量を制御する。
【００４４】
加えて、大気温度が最大温度ＴＢを越えるときは、ターボ冷凍機ｃのみを使用する。この場合、図５の点線に示すように、ターボ冷凍機ｂのみの冷却能力線「ＲＣ（Ｔ０）」では冷却能力が小さい。そこで、ここでは、冷却する冷却空気ＣＡの温度（＝冷水ＣＢの温度）を水温Ｔ２（＞Ｔ１＞Ｔ０）とし、冷凍能力を増やして運転する。水温Ｔ２に冷却するときのターボ冷凍機ｃの冷却能力を冷却能力ＲＣ（Ｔ２）とすると、ＲＣ（Ｔ２）＞ＲＣ（Ｔ０）となり、冷却可能な大気温度及び湿度と冷却能力との関係は、図５のグラフで表すことができる。
【００４５】
具体的には、大気温度（最大温度ＴＢを越え、且つ、最大温度ＴＣ以下の範囲）と湿度が、「ＲＣ（Ｔ２）」が示す冷却能力線の範囲に入るように、ターボ冷凍機ｃの冷却能力を決定する。従って、大気温度が最大温度ＴＢを越えたときは、ターボ冷凍機ｃのみを使用して、大気温度を水温Ｔ２まで冷却して、冷却空気ＣＡとしている。又、大気温度が最大温度ＴＢのときの「ＲＣ（Ｔ２）」が、大気温度が最大温度ＴＢのときの「ＲＢ（Ｔ１）＋ＲＣ（Ｔ１）」にできるだけ近いと、冷却能力線「ＲＣ（Ｔ２）」の範囲に入る大気温度と湿度の条件が広くなる。
【００４６】
以上を整理すると、図４に示すように、大気温度が最大温度ＴＡ以下の場合には、使用できるターボ冷凍機を全て運転して、つまり、ターボ冷凍機ａ、ｂ、ｃを共に運転し、大気温度を水温Ｔ０まで冷却して、冷却空気ＣＡとしている。一方、大気温度が最大温度ＴＡを越え、且つ、最大温度ＴＢ以下の場合には、使用できるターボ冷凍機を全て運転して、つまり、ターボ冷凍機ｂ、ｃを運転し、大気温度を水温Ｔ１（＞Ｔ０）まで冷却して、冷却空気ＣＡとしている。加えて、大気温度が最大温度ＴＢを越えた場合には、使用できるターボ冷凍機を全て運転して、つまり、ターボ冷凍機ｃのみを運転し、大気温度を水温Ｔ２（＞Ｔ１＞Ｔ０）まで冷却して、冷却空気ＣＡとしている。
【００４７】
このような制御により、大気温度が最大温度ＴＡ以下の場合、ターボ冷凍機ａ、ｂ、ｃの消費動力が、ターボ冷凍機ｂのみを使ったときより、ターボ冷凍機ｃのみを使ったときより、そして、ターボ冷凍機ｂ、ｃを使ったときより小さくなる。又、大気温度が最大温度ＴＡを越え、且つ、最大温度ＴＢ以下の場合、ターボ冷凍機ｂ、ｃの消費動力が、ターボ冷凍機ｂのみを使ったときより、そして、ターボ冷凍機ｃのみを使ったときより小さくなる。その結果、売電に回せる出力回復量の減少を小さくできる。
【実施例２】
【００４８】
本実施例は、実施例１の図１に示した吸気冷却システム２０を前提とする。例えば、図１に示したように、２つのターボ冷凍機ブロックＡ、Ｂを並列接続すると共に、各ターボ冷凍機ブロックＡ、Ｂ内のターボ冷凍機ａ、ｂの圧縮機の設計圧力ＰＡ、ＰＢを、ＰＡ＜ＰＢとする構成でよい。又、３つのターボ冷凍機ブロックＡ、Ｂ、Ｃを用いる場合には、３つのターボ冷凍機ブロックＡ、Ｂ、Ｃを並列接続すると共に、各ターボ冷凍機ブロックＡ、Ｂ、Ｃ内のターボ冷凍機ａ、ｂ、ｃの圧縮機の設計圧力ＰＡ、ＰＢ、ＰＣを、ＰＡ＜ＰＢ＜ＰＣとする構成でよい。
【００４９】
又、ターボ冷凍機ブロックＡ、Ｂ、Ｃにおいては、各々、少なくとも１台のターボ冷凍機ａ、ｂ、ｃで構成するが、複数台で構成する場合、各ターボ冷凍機ブロックＡ、Ｂ、Ｃにおいては、同じ仕様のターボ冷凍機ａ、ｂ、ｃを各々使用する。その場合、各ターボ冷凍機ブロックＡ、Ｂ、Ｃ内でのターボ冷凍機ａ、ｂ、ｃ同士の接続は、並列接続でも直列接続でも構わない。
【００５０】
このように、基本的な構成は、本実施例も実施例１と同じであるが、実施例１とは、使用するターボ冷凍機の冷却能力及びその制御方法が相違する。従って、実施例１と同等の記載については、同じ符号を使用し、２台並列の場合（図６〜図７参照）、３台並列の場合（図８〜図９参照）について、説明を行う。
【００５１】
＜２台並列の場合＞
ここでも、ターボ冷凍機ブロックＡを、設計圧力ＰＡの圧縮機を用いた１台のターボ冷凍機ａから構成し、ターボ冷凍機ブロックＢを、設計圧力ＰＢ（＞ＰＡ）の圧縮機を用いた１台のターボ冷凍機ｂから構成し、１台のターボ冷凍機ａと１台のターボ冷凍機ｂを並列に接続した構成としている。
【００５２】
ここでも、異なる設計圧力（ＰＡ、ＰＢ）の圧縮機を用いたターボ冷凍機ａとターボ冷凍機ｂを並列に接続しているが、後述するように、使用するターボ冷凍機ａ、ｂの冷却能力及びその制御方法を工夫することにより、ターボ冷凍機ａ、ｂの消費動力の増加量を可能な限り小さくして、売電に回す出力回復量の減少を小さくしている。
【００５３】
まず、ターボ冷凍機ａの冷却能力を、年間の大気温度及び湿度と、ターボ冷凍機ａの設計圧力ＰＡ以下となる大気温度から冷却する冷却空気ＣＡの温度と、ガスタービン１０の吸気流量とから決定する。更に、ターボ冷凍機ｂの冷却能力を、年間の大気温度及び湿度と、ターボ冷凍機ｂの設計圧力ＰＢ（＞ＰＡ）以下となる大気温度から冷却する冷却空気ＣＡの温度と、ガスタービン１０の吸気流量とから決定する。従って、ターボ冷凍機ａの設計圧力ＰＡ以下となる最大の大気温度を最大温度ＴＡとし、ターボ冷凍機ｂの設計圧力ＰＢ以下となる最大の大気温度を最大温度ＴＢとすると、ＴＡ＜ＴＢとなる。
【００５４】
冷却する冷却空気ＣＡの温度（＝冷水ＣＢの温度）を水温Ｔ０とし、水温Ｔ０に冷却するときのターボ冷凍機ａの冷却能力を冷却能力ＲＡ（Ｔ０）とし、水温Ｔ０に冷却するときのターボ冷凍機ｂの冷却能力を冷却能力ＲＢ（Ｔ０）とすると、冷却可能な大気温度及び湿度と冷却能力との関係は、図７のグラフで表すことができる。
【００５５】
具体的には、大気温度（最大温度ＴＡ以下の範囲）と湿度が、「ＲＡ（Ｔ０）」が示す冷却能力線の範囲に入るように、ターボ冷凍機ａの冷却能力を決定し、大気温度（最大温度ＴＡを越え、且つ、最大温度ＴＢ以下の範囲）と湿度が、「ＲＢ（Ｔ０）」が示す冷却能力線の範囲に入るように、ターボ冷凍機ｂの冷却能力を決定する。又、ここでは、大気温度が最大温度ＴＡのときの「ＲＢ（Ｔ０）」が、大気温度が最大温度ＴＡのときの「ＲＡ（Ｔ０）」より大きくなるように、ターボ冷凍機ｂの冷却能力を決定する。
【００５６】
つまり、図６に示すように、大気温度が最大温度ＴＡ以下のときは、ターボ冷凍機ａのみを使用して、大気温度を水温Ｔ０まで冷却して、冷却空気ＣＡとし、大気温度が最大温度ＴＡを越えるときは、ターボ冷凍機ｂのみを使用して、大気温度を水温Ｔ０まで冷却して、冷却空気ＣＡとしている。このように、冷却する冷却空気ＣＡの水温Ｔ０（＝冷水ＣＢの温度）は、大気温度によらず一定であり、この点も実施例１と相違する。
【００５７】
又、ターボ冷凍機ａ、ｂ各々に流す冷水ＣＢの流量は、ターボ冷凍機ａ、ｂの入口／出口の冷水ＣＢの温度を各々温度センサＴで監視して、各々のバルブ２３〜２６で流量を、制御装置を用いて制御する。
【００５８】
このような制御により、大気温度が最大温度ＴＡ以下の場合において、ターボ冷凍機ａの消費動力が、ターボ冷凍機ｂのみを使ったときより小さくなり、売電に回せる出力回復量の減少を小さくできる。
【００５９】
＜３台並列の場合＞
ここでも、ターボ冷凍機ブロックＡを、設計圧力ＰＡの圧縮機を用いた１台のターボ冷凍機ａから構成し、ターボ冷凍機ブロックＢを、設計圧力ＰＢ（＞ＰＡ）の圧縮機を用いた１台のターボ冷凍機ｂから構成し、ターボ冷凍機ブロックＣを、設計圧力ＰＣ（＞ＰＢ＞ＰＡ）の圧縮機を用いた１台のターボ冷凍機ｃから構成し、１台のターボ冷凍機ａと１台のターボ冷凍機ｂと１台のターボ冷凍機ｃを並列に接続した構成としている。
【００６０】
ここでも、異なる設計圧力（ＰＡ、ＰＢ、ＰＣ）の圧縮機を用いたターボ冷凍機ａとターボ冷凍機ｂとターボ冷凍機ｃを並列に接続しているが、後述するように、使用するターボ冷凍機ａ、ｂ、ｃの冷却能力及びその制御方法を工夫することにより、ターボ冷凍機ａ、ｂ、ｃの消費動力の増加量を可能な限り小さくして、売電に回す出力回復量の減少を小さくしている。
【００６１】
まず、ターボ冷凍機ａの冷却能力を、年間の大気温度及び湿度と、ターボ冷凍機ａの設計圧力ＰＡ以下となる大気温度から冷却する冷却空気ＣＡの温度と、ガスタービン１０の吸気流量とから決定する。更に、ターボ冷凍機ｂの冷却能力を、年間の大気温度及び湿度と、ターボ冷凍機ｂの設計圧力ＰＢ（＞ＰＡ）以下となる大気温度から冷却する冷却空気ＣＡの温度と、ガスタービン１０の吸気流量とから決定する。加えて、ターボ冷凍機ｃの冷却能力を、年間の大気温度及び湿度と、ターボ冷凍機ｃの設計圧力ＰＣ（＞ＰＢ＞ＰＡ）以下となる大気温度から冷却する冷却空気ＣＡの温度と、ガスタービン１０の吸気流量とから決定する。従って、ターボ冷凍機ｃの設計圧力ＰＣ以下となる最大の大気温度を最大温度ＴＣとすると、ＴＡ＜ＴＢ＜ＴＣとなる。
【００６２】
冷却する冷却空気ＣＡの温度（＝冷水ＣＢの温度）を水温Ｔ０とし、水温Ｔ０に冷却するときのターボ冷凍機ａの冷却能力を冷却能力ＲＡ（Ｔ０）とし、水温Ｔ０に冷却するときのターボ冷凍機ｂの冷却能力を冷却能力ＲＢ（Ｔ０）とし、水温Ｔ０に冷却するときのターボ冷凍機ｃの冷却能力を冷却能力ＲＣ（Ｔ０）とすると、冷却可能な大気温度及び湿度と冷却能力との関係は、図９のグラフで表すことができる。
【００６３】
具体的には、大気温度（最大温度ＴＡ以下の範囲）と湿度が、「ＲＡ（Ｔ０）」が示す冷却能力線の範囲に入るように、ターボ冷凍機ａの冷却能力を決定し、大気温度（最大温度ＴＡを越え、且つ、最大温度ＴＢ以下の範囲）と湿度が、「ＲＢ（Ｔ０）」が示す冷却能力線の範囲に入るように、ターボ冷凍機ｂの冷却能力を決定し、大気温度（最大温度ＴＢを越え、且つ、最大温度ＴＣ以下の範囲）と湿度が、「ＲＣ（Ｔ０）」が示す冷却能力線の範囲に入るように、ターボ冷凍機ｃの冷却能力を決定する。又、ここでは、大気温度が最大温度ＴＡのときの「ＲＢ（Ｔ０）」が、大気温度が最大温度ＴＡのときの「ＲＡ（Ｔ０）」より大きくなるように、ターボ冷凍機ｂの冷却能力を決定し、大気温度が最大温度ＴＢのときの「ＲＣ（Ｔ０）」が、大気温度が最大温度ＴＢのときの「ＲＢ（Ｔ０）」より大きくなるように、ターボ冷凍機ｃの冷却能力を決定する。
【００６４】
つまり、図８に示すように、大気温度が最大温度ＴＡ以下のときは、ターボ冷凍機ａのみを使用して、大気温度を水温Ｔ０まで冷却して、冷却空気ＣＡとし、大気温度が最大温度ＴＡを越え、且つ、最大温度ＴＢ以下のときは、ターボ冷凍機ｂのみを使用して、大気温度を水温Ｔ０まで冷却して、冷却空気ＣＡとし、大気温度が最大温度ＴＢを越え、且つ、最大温度ＴＣ以下のときは、ターボ冷凍機ｃのみを使用して、大気温度を水温Ｔ０まで冷却して、冷却空気ＣＡとしている。このように、冷却する冷却空気ＣＡの水温Ｔ０（＝冷水ＣＢの温度）は、大気温度によらず一定であり、この点も実施例１と相違する。
【００６５】
又、ターボ冷凍機ａ、ｂ、ｃ各々に流す冷水ＣＢの流量は、ターボ冷凍機ａ、ｂ、ｃの入口／出口の冷水ＣＢの温度を各々温度センサＴで監視して、制御装置を用いて、各々のバルブで流量を制御する。
【００６６】
このような制御により、大気温度が最大温度ＴＡ以下の場合において、ターボ冷凍機ａの消費動力が、ターボ冷凍機ｂのみを使ったときより、ターボ冷凍機ｃのみを使ったときより小さくなる。又、大気温度が最大温度ＴＡを越え、且つ、最大温度ＴＢ以下の場合、ターボ冷凍機ｂの消費動力が、ターボ冷凍機ｃのみを使ったときより小さくなる。その結果、売電に回せる出力回復量の減少を小さくできる。
【産業上の利用可能性】
【００６７】
本発明は、冷却塔が使えない地域等、例えば、中東等の砂漠が多い乾燥地域等において、ガスタービンの吸気を冷却する際に好適なものである。
【符号の説明】
【００６８】
１０  ガスタービン
２０  吸気冷却システム
２１  冷却コイル
２２  空冷熱交換器
Ａ  ターボ冷凍機ブロック
ａ  ターボ冷凍機
Ｂ  ターボ冷凍機ブロック
ｂ  ターボ冷凍機
【図１】
2012193910.tif 000003
【図２】
2012193910.tif 000004
【図３】
2012193910.tif 000005
【図４】
2012193910.tif 000006
【図５】
2012193910.tif 000007
【図６】
2012193910.tif 000008
【図７】
2012193910.tif 000009
【図８】
2012193910.tif 000010
【図９】
2012193910.tif 000011
【図１０】
2012193910.tif 000012